【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
複数の端子を含む音声信号用プラグと、
複数のラインを含み、一端側に上記音声信号用プラグが接続されて音声信号を伝送する音声信号伝送ケーブルと、を含むアンテナ装置と、
上記アンテナ装置の上記音声信号用プラグが接続されるジャック部と、を有し、
上記音声信号用プラグは、
円筒状の先端部に、少なくともステレオ信号の左チャンネル端子、右チャンネル端子、グランド端子、が円筒軸方向に沿って互いに絶縁されて形成され、
円筒状の後端部に、少なくともステレオ信号の左チャンネル端子、右チャンネル端子、グランド端子、が円筒軸を中心に互いに絶縁されて形成され、
上記音声信号伝送ケーブルは、
少なくともオーディオの左（Ｌ）ライン、右（Ｒ）ライン、およびグランド（Ｇ）ライン、を含み、
上記グランド（Ｇ）ラインが、ジャケットにより被覆されたシールド部付同軸状ケーブルにより形成され、
上記音声信号用プラグの少なくとも上記後端部の左チャンネル端子と上記音声信号伝送ケーブルの上記左（Ｌ）ラインの一端側が第一の高周波遮断部を介して接続され、上記音声信号用プラグの上記後端部の右チャンネル端子と上記音声信号伝送ケーブルの上記右（Ｒ）ラインの一端側が、第二の高周波遮断部を介して接続され、
上記音声信号用プラグの上記後端部の上記グランド端子と、上記音声信号伝送ケーブルの上記シールド部付同軸状ケーブルのシールド部と、上記グランド（Ｇ）ラインの一端側と、が接続され、
上記音声信号伝送ケーブルの一端側、および上記音声信号伝送ケーブルの他端側のうち少なくとも一端側が、上記音声信号用プラグの円筒状の後端部と中継部において接続されており、
上記中継部は、モールドされており、
上記中継部はモールドされた内部に中継基板部を有し、
上記中継基板部には上記第一の高周波遮断部が実装されており、
上記音声信号用プラグと上記音声信号伝送ケーブルは上記中継基板部を介して接続されている
受信装置。
【請求項２】
上記先端部の左チャンネル端子と上記後端部の左チャンネル端子が円筒軸内を通して電気的に接続され、
上記先端部の右チャンネル端子と上記後端部の右チャンネル端子が円筒軸内を通して電気的に接続され、
上記先端部のグランド端子と上記後端部のグランド端子が円筒軸内を通して電気的に接続されている
請求項１記載の受信装置。
【請求項３】
上記音声信号伝送ケーブルは、マイクロフォン用信号ラインを含む
請求項１または２記載の受信装置。
【請求項４】
上記マイクロフォン用信号ラインは上記中継基板部において第三の高周波遮断部に接続される
請求項３記載の受信装置。
【請求項５】
上記ジャック部は、
基板に実装され、当該基板の少なくとも上記ジャック部の配置領域は導電ラインがない非導電領域として形成され、
上記ジャック部の配置領域の周囲の基板には、少なくとも、上記音声信号用プラグの各端子との接続端子、接続ラインが形成されている
請求項１から４のいずれか一に記載の受信装置。
【請求項６】
上記ジャック部は、
複数の引き出し部を含み、少なくとも一つの上記引き出し部に、高周波的な遮断機能を有する高周波遮断部が接続されている
請求項１から５のいずれか一に記載の受信装置。
【請求項７】
上記一引き出し部は、
分岐され、一分岐部に高周波遮断部が接続され、
他分岐部にキャパシタが接続されている
請求項６記載の受信装置。
【請求項８】
上記同軸ケーブルの一端側において、上記シールド部が接続されるアンテナ信号ラインと上記他ラインの一端部との間に容量が形成されている
請求項１から７のいずれか一に記載の受信装置。
【請求項９】
上記アンテナ装置が接続可能で、放送波の受信機能を有する電子機器を有し、 
上記電子機器は、
上記アンテナ装置の上記音声信号用プラグが接続される上記ジャック部を含む
請求項１から８のいずれか一に記載の受信装置。 
【請求項１０】
上記音声信号伝送ケーブルは、
イヤホンケーブルを含み、
上記他ラインとして、イヤホンケーブル用信号ラインとマイクロフォン用信号ラインのうち、少なくともイヤホンケーブル用信号ラインを含み、
少なくとも上記他ラインの他端部と上記イヤホンケーブルの信号ラインとの間に高周波遮断部が接続されている
請求項１から９のいずれか一に記載の受信装置。
【請求項１１】
上記音声信号用プラグにおいて、アンテナ信号ラインとして共用されるプラグ端子、および上記音声信号伝送ケーブルの上記一ラインが、音声信号ラインのグランドを含む
請求項１から１０のいずれか一に記載の受信装置。
【請求項１２】
上記高周波遮断部がフェライトビーズを含む、
請求項１から１１のいずれか一に記載の受信装置。
【請求項１３】
複数の端子を含む音声信号用プラグと、
複数のラインを含み、一端側に上記音声信号用プラグが接続されて音声信号を伝送する音声信号伝送ケーブルと、を含み、
上記音声信号用プラグは、
円筒状の先端部に、少なくともステレオ信号の左チャンネル端子、右チャンネル端子、グランド端子、が円筒軸方向に沿って互いに絶縁されて形成され、
円筒状の後端部に、少なくともステレオ信号の左チャンネル端子、右チャンネル端子、グランド端子、が円筒軸を中心に互いに絶縁されて形成され、
上記音声信号伝送ケーブルは、
少なくともオーディオの左（Ｌ）ライン、右（Ｒ）ライン、およびグランド（Ｇ）ライン、を含み、
上記グランド（Ｇ）ラインが、ジャケットにより被覆されたシールド部付同軸状ケーブルにより形成され、
上記音声信号用プラグの少なくとも上記後端部の左チャンネル端子と上記音声信号伝送ケーブルの上記左（Ｌ）ラインの一端側が第一の高周波遮断部を介して接続され、上記音声信号用プラグの上記後端部の右チャンネル端子と上記音声信号伝送ケーブルの上記右（Ｒ）ラインの一端側が、第二の高周波遮断部を介して接続され、
上記音声信号用プラグの上記後端部の上記グランド端子と、上記音声信号伝送ケーブルの上記シールド部付同軸状ケーブルのシールド部と、上記グランド（Ｇ）ラインの一端側と、が接続され、
上記音声信号伝送ケーブルの一端側、および上記音声信号伝送ケーブルの他端側のうち少なくとも一端側が、上記音声信号用プラグの円筒状の後端部と中継部において接続されており、
上記中継部は、モールドされており、
上記中継部はモールドされた内部に中継基板部を有し、
上記中継基板部には上記第一の高周波遮断部が実装されており、
上記音声信号用プラグと上記音声信号伝送ケーブルは上記中継基板部を介して接続されている
アンテナ装置。
【請求項１４】
上記先端部の左チャンネル端子と上記後端部の左チャンネル端子が円筒軸内を通して電気的に接続され、
上記先端部の右チャンネル端子と上記後端部の右チャンネル端子が円筒軸内を通して電気的に接続され、
上記先端部のグランド端子と上記後端部のグランド端子が円筒軸内を通して電気的に接続されている
請求項１３記載のアンテナ装置。
【請求項１５】
上記音声信号伝送ケーブルは、マイクロフォン用信号ラインを含む
請求項１３または１４記載のアンテナ装置。
【請求項１６】
上記マイクロフォン用信号ラインは上記中継基板部において第三の高周波遮断部に接続される
請求項１５記載のアンテナ装置。
【請求項１７】
上記音声信号用プラグが接続されるジャック部を含み、
上記ジャック部は、
基板に実装され、当該基板の少なくとも上記ジャック部の配置領域は導電ラインがない非導電領域として形成され、
上記ジャック部の配置領域の周囲の基板には、少なくとも、上記音声信号用プラグの各端子との接続端子、接続ラインが形成されている
請求項１３から１６のいずれか一に記載のアンテナ装置。
【請求項１８】
上記音声信号用プラグが接続されるジャック部を含み、
上記ジャック部は、
複数の引き出し部を含み、少なくとも一つの上記引き出し部に、高周波的な遮断機能を有する高周波遮断部が接続されている
請求項１３から１７のいずれか一に記載のアンテナ装置。
【請求項１９】
上記一引き出し部は、
分岐され、一分岐部に高周波遮断部が接続され、
他分岐部にキャパシタが接続されている
請求項１８記載のアンテナ装置。
【請求項２０】
上記同軸ケーブルの一端側において、上記シールド部が接続されるアンテナ信号ラインと上記他ラインの一端部との間に容量が形成されている
請求項１３から１９のいずれか一に記載のアンテナ装置。
【請求項２１】
放送波の受信機能を有する電子機器を有し、 
上記電子機器は、
上記音声信号用プラグが接続されるジャック部を含む
請求項１３から２０のいずれか一に記載のアンテナ装置。 
【請求項２２】
上記音声信号伝送ケーブルは、
イヤホンケーブルを含み、
上記他ラインとして、イヤホンケーブル用信号ラインとマイクロフォン用信号ラインのうち、少なくともイヤホンケーブル用信号ラインを含み、
少なくとも上記他ラインの他端部と上記イヤホンケーブルの信号ラインとの間に高周波遮断部が接続されている
請求項１３から２１のいずれか一に記載のアンテナ装置。
【請求項２３】
上記音声信号用プラグにおいて、アンテナ信号ラインとして共用されるプラグ端子、および上記音声信号伝送ケーブルの上記一ラインが、音声信号ラインのグランドを含む
請求項１３から２２のいずれか一に記載のアンテナ装置。
【請求項２４】
上記高周波遮断部がフェライトビーズを含む、
請求項１３から２３のいずれか一に記載のアンテナ装置。
【手続補正２】
【補正対象書類名】明細書
【補正対象項目名】発明の名称
【補正方法】変更
【補正の内容】
【発明の名称】アンテナ装置および受信装置